(57)【要約】【課題】  内容物の大きさや量など使用状況に合わせて形を変化させることを可能とする、形態変更リュックサックを提供する。【解決手段】  リュックサック本体の背当て面両端部に、二つ折り時の接続固定用の連結用ファスナーを設けたことを特徴とする、形態変更リュックサック。  前記のリュックサック本体の背当て面に背当たりクッションを設け、背当たりクッション間に未使用の肩掛け紐を収納する空間を設けたことを特徴とする、形態変更リュックサック。【選択図】図１
2009201965.tif 000002
【特許請求の範囲】
【請求項１】
リュックサック本体の背当て面両端部に、二つ折り時の接続固定用の連結用ファスナーを設けたことを特徴とする、形態変更リュックサック。
【請求項２】
前記のリュックサック本体の背当て面に背当たりクッションを設け、背当たりクッション間に未使用の肩掛け紐を収納する空間を設けたことを特徴とする、請求項１記載の形態変更リュックサック。
【発明の詳細な説明】
【技術分野】
【０００１】  本発明は、内容物の大きさや量など使用状況に合わせて形を変化させることを可能とする、形態変更リュックサックに関するものである。
【背景技術】
【０００２】  背中に背負う形式のバックは通常肩掛け紐が２本のリュックサックまたは、１本のワンショルダーバックに大別されている。大きさについては、使用の際に内容物の大きさや量が変化しても一定の形状のバックを使用しなければならないなど、使用状況に合わせて形態変更可能な物がない。
なお、肩掛け紐の取り付け位置を変えることによって使用形状を変える事が可能なスリーウェイバックが知られている（特許文献１）。
【特許文献１】実願２０００−３０７４広報
【発明が解決しようとする課題】
【０００３】  そのために、次のような問題点があった。
（イ）内容物の量や大きさが行き帰りで、増加や減少、拡大や縮小する場合に対応する適      当なバックがない。
（ロ）リュックサックを肩掛け紐１本で使用する場合に、もう一方の肩掛け紐がルーズな      状態になり邪魔となる。
（ハ）一般的な小型のリュックサックは形状が固定されているために、未使用収納時に折      りたたみや縦置きができずに平置きする方法しかないために、保管スペースが平面      的に広がる上に肩掛け紐をまとめることが出来ない。
本発明は、これらの問題点を解決するためになされたものである。
【課題を解決するための手段】
【０００４】  リュックサック本体の背当て面中央部に内折れ線を設け、二つ折り時に両側を接続するための連結用ファスナーを背当て面両端に設け、肩掛け紐２本のリュックサックと１本のワンショルダーバックとに、使用状況に合わせて形を変化させることを可能としたことを特徴とする形態変更リュックサック。
【０００５】  リュックサック本体の背当て面に背当たりクッションを設け、背当たりクッション間に、未使用側の肩掛け紐を収納できうる空間を設け、収納する肩掛け紐の固定バンドを設けたことを特徴とする形態変更リュックサック。
【発明の効果】
【０００６】  本発明は、リュックサック内への収容物が多い、または大きい場合には肩掛け紐が２本の広げた一般的なリュックサック状態で使用し、収容物が少ない、または小さい場合にはリュックサック本体を二つ折りにし、１本の肩掛け紐で小さくした状態での使用が可能となる。
また、肩掛け紐は連結式としているため、肩掛けではなく腰に巻いてウェストバックとしての使用も可能となる。二つ折り状態時には、片側の肩掛け紐は背当たりクッションによって設けられる空間に収納され、さらには連結用ファスナーによってバックの両端が固定されるため形状はワンショルダーやウェストバックとしてのデザインと機能性も備えている。
バック未使用時は本体を二つ折りの状態にし、２本の肩掛け紐は全て折り畳み内部に収納しコンパクトな状態での保管が可能となる。
【発明を実施するための最良の形態】
【０００７】  以下、本発明の実施の形態を説明する。
（イ）  リュックサック本体（１）に肩掛け紐連結具（５）を備えた肩掛け紐（４）を２      組設ける。
（ロ）  リュックサック本体（１）の両端に、二つ折り時の接続固定用の連結用ファスナ      ー（８）を設け、折り曲げ時の形成用として内折れ線（７）を背当て面（２）の中      央部とリュックサック表面（６）の上下２個所の計３箇所設ける。
（ハ）  背当て面（２）に背当たりクッション（３）を複数設け、一部に１本の肩掛け紐      で使用する際に、上記（イ）に記載の肩掛け紐連結具（５）を備えた肩掛け紐（４      ）を収納しうる肩掛け紐収納部（１１）の空間を設け、同肩掛け紐の固定バンド（      １０）を設ける。この形状は背当て面（２）中央部の内折れ線（７）を軸に左右対      称形とする。
本発明は以上のような構造でこれを使用するときは、リュックサック本体（１）への収容物が多い、または大きい場合には図１の肩掛け紐が２本の状態で使用し、収容物が少ない、または小さい場合にはリュックサック本体（１）を背当て面（２）の中央部に設ける内折れ線（８）を軸に二つ折りにし、図１０のように１本のショルダーベルトで、小さくした状態での使用を可能とする。
二つ折りの際は、肩掛け紐連結具（５）を備えた肩掛け紐（４）の片方を背当て面（２）に設ける肩掛け紐収納部（１１）に収納し、連結用ファスナー（８）によってバックの両端を接続固定する。
１本のワンショルダーバッグでの使用時、肩掛け紐（４）は右左どちらも収納することが可能で、使用者により右肩掛け、左肩掛けの選択が可能となる。
肩掛け紐（４）は肩掛け紐連結具（５）を設けた着脱式としているため、肩掛けではなく腰に巻いてウェストバックとしての使用も可能となる。以上にように本考案は、肩掛け紐が２本のリュックサック、１本のワンショルダーバッグおよび肩掛け紐を腰に巻いてのウェストバックとして使用でき、バック未使用時は本体を二つ折りの状態にし、２本の肩掛け紐は全て折り畳み内部に収納しコンパクトな状態での保管が可能となる。
【図面の簡単な説明】
【０００８】
【図１】  本発明の背負い面の図
【図２】  本発明の表面の図
【図３】  本発明の肩掛け紐２本時の側面図
【図４】  本発明の上部よりの見下げ図
【図５】  図６に記載のＡ−Ａ’断面図
【図６】  片側のショルダーベルトを収納した状態の背負い面の図
【図７】  バッグ本体を二つ折りにした状態の背負い面の図
【図８】  バッグ本体を二つ折りにした状態の表面の図
【図９】  バッグ本体を二つ折りにした状態の側面図１
【図１０】  バッグ本体を二つ折りにした状態の側面図２
【図１１】  バッグ本体を二つ折りにし、肩掛け紐全てを収納した状態の側面図
【符号の説明】
【０００９】  １  リュックサック本体
２  背当て面
３  背当たりクッション
４  肩掛け紐
５  肩掛け紐連結具
６  リュックサック表面
７  内折れ線
８  連結用ファスナー
９  荷物収納部ファスナー
１０  固定バンド
１１  肩掛け紐収納部
【図１】
2009201965.tif 000003
【図２】
2009201965.tif 000004
【図３】
2009201965.tif 000005
【図４】
2009201965.tif 000006
【図５】
2009201965.tif 000007
【図６】
2009201965.tif 000008
【図７】
2009201965.tif 000009
【図８】
2009201965.tif 000010
【図９】
2009201965.tif 000011
【図１０】
2009201965.tif 000012
【図１１】
2009201965.tif 000013